(57)【要約】      （修正有）【課題】重量が軽く運搬に便利であり、使用寿命が長く、優れた積載能力を備えた、高強度紙製パレットの提供。【解決手段】主にベース板３の片側に複数の上嵌入溝３１が設けられ、他方の側に下嵌入溝３２１を備えた突出状を呈する複数の支持部３２が延伸して設けられ、且つ、ベース板と複数の支持部が一体成型で成り、支持部の下嵌入溝は複数の支持板４が嵌入され、且つ、ベース板の上嵌入溝には複数の補助板５が嵌入され、複数の支持板と複数の補助板がそれぞれ複数のベース板と相互に交差した状態で嵌合されて位置決めされ、これにより優れた積載能力だけでなく、使用寿命が長く、使用時に重量が軽く運搬に便利であるという利点を得ることができる。【選択図】図４
0003131345.tif 000002
【実用新案登録請求の範囲】
【請求項１】
主にデッキボードと複数の支持部を設けて成り、そのうち、前記デッキボードは複数の矩形のベース板から組成され、前記複数のベース板には複数の嵌入溝が設けられ、且つ、前記複数のベース板は間隔をあけて排列され、前記嵌入溝を利用して相互に交差された状態で位置決めされ、前記複数の支持部は前記デッキボードの底部に設置され、且つ、前記複数の支持部の間にフォークリフトのフォークを進入させるための差込空間が形成される、高強度紙製パレット。        
【請求項２】
前記ベース板が複数の波形層を備えたダンボール板から成る、請求項１に記載の高強度紙製パレット。
【請求項３】
前記支持部が粘着方式または嵌合方式で前記デッキボード底部に固定される、請求項１に記載の高強度紙製パレット。
【請求項４】
主に複数のベース板、複数の支持板、複数の補助板を設けて成り、そのうち、前記複数のベース板は片側に複数の上嵌入溝が設けられ、他方の側に下嵌入溝を備えた突出状を呈する複数の支持部が延伸して設けられ、前記複数の支持部にフォークリフトのフォークを進入させるための差込空間が形成され、且つ、前記ベース板が間隔をあけて排列されると共に、前記複数の支持板は前記複数の支持部の下嵌入溝と嵌合される溝槽が設けられ、且つ、前記複数の支持板と前記複数のベース板の支持部が相互に交差された状態に位置決めされ、前記複数の補助板は前記複数のベース板の上嵌入溝と嵌合されるスリットが設けられ、且つ、前記複数の補助板と前記複数のベース板が相互に交差された状態に位置決めされる、高強度紙製パレット。
【請求項５】
前記ベース板が複数の波形層を備えたダンボール板から成る、請求項４に記載の高強度紙製パレット。    
【請求項６】
前記支持板が複数の波形層を備えたダンボール板から成る、請求項４に記載の高強度紙製パレット。  
【請求項７】
前記補助板が複数の波形層を備えたダンボール板から成る、請求項４に記載の高強度紙製パレット。    
【請求項８】
前記ベース板と前記複数の支持部が一体成型で成る、請求項４に記載の高強度紙製パレット。    
【考案の詳細な説明】
【技術分野】
【０００１】
本考案は高強度紙製パレットに関し、詳細には、ベース板と複数の支持部が一体成型方式で成る紙製パレットであって、優れた積載能力を備えており、使用寿命が長いだけでなく、重量が軽く運搬に便利であるという利点を備えた、紙製パレットに関する。
【背景技術】
【０００２】
一般にパレットは貨物をその上に積載し、機具で運搬するために用いられ、主に物品等の運輸貨物をパレット上に置き、フォークリフトを利用してパレット底部にフォークを進入させ、パレット上の貨物を一度に持ち上げて運搬するために用いられる。船舶や各種大型コンテナ輸送車両を利用した長い運輸過程において、振動やさまざまな外力の衝撃を受ける可能性があるため、優れたパレットは高強度の積載能力を持ち、貨物の長時間にわたる重圧を受けても破損や変形を起こさない構造性質を備えていなければならない。
【０００３】
パレットの材質に基づき区分すると、大きくプラスチック製パレットと木製パレットに分けることができるが、使い捨てのプラスチック製パレットは使用材料が多く直接コストに影響するだけでなく、環境汚染の問題を解決する必要があり、木製パレットは環境保護の問題においてはプラスチック製パレットより優れているが、木製パレットの材質そのものに検疫の問題が発生することがあり、欧米国家などは木製パレットに燻蒸処理の過程を経ることを要求しており、この燻蒸処理が生産コストの増加を招くことに加え、木製パレットは環境の温度と湿度の影響を受けやすく、虫食いの問題が発生することもあるため、木製パレットは使用上一定の制限がある。また、作業環境において作業員が木製パレットにうっかりぶつかったりすると、作業員が怪我をすることもあるため、木製パレットも最良の選択とは言えない。
【０００４】
木製パレットの問題を解決するため、メーカーは紙製パレットを製造しており、紙製パレットは軽重量で運搬しやすく、虫食いを防止し、回収が容易であり、汚染も危害もない等の利点があり、同時に積載能力も木製パレットと比べ遜色のないものであるため、紙製パレットが徐々にプラスチック製パレットと木製パレットを代替するようになってきている。現在よく見受けられる紙製パレットは、上面デッキ、複数のブロック、下面デッキから構成され、そのうち、複数のブロックは上面デッキと下面デッキの間に設置され、上面デッキと下面デッキの間に一定の高さの間隙を形成し、この間隙にフォークリフトのフォークを進入させ、紙製パレットとそこに積まれた貨物を一度に持ち上げて運搬することを可能にする。一般的な紙製パレットのブロックは粘着方式で上面デッキと下面デッキの間に粘着されたり、嵌合方式で上面デッキと下面デッキの間に固定されるが、粘着方式は外力の衝撃を受けると脱落しやすく、また嵌合方式はほとんどが紙板のカッティングを通して複数の紙板を重ねた後に貫通状の孔を開設し、ブロックを孔の内部に穿入させ位置決め状態を形成するものであるが、この方法では上面デッキまたは下面デッキが破壊されてしまい、積載能力に劣る。
【０００５】
このため、いかに紙製パレットが外力の衝撃を受け脱落しやすいという欠点を克服し、紙製パレットの積載能力を強化するかが、当該産業の関連メーカーが改善を目指す点である。
【０００６】
そこで本考案の考案者は、上述の問題と欠点に鑑みて、関連資料を収集し、多方面の評価と考慮を経ると共に、関連産業における長年の経験に基づき研究を重ね、度重なる試作と修正を経てついにこの高強度紙製パレットの改良構造を設計するに至ったものである。
【考案の開示】
【考案が解決しようとする課題】
【０００７】
本考案の主な目的は、重量が軽く運搬に便利であり、使用寿命が長く、優れた積載能力を備えた、高強度紙製パレットを提供することにある。      
【課題を解決するための手段】
【０００８】
上述の目的を達するため、本考案の紙製パレットは、主にベース板の片側に複数の上嵌入溝が設けられ、他方の側に下嵌入溝を備えた突出状を呈する複数の支持部が延伸して設けられ、且つ、ベース板と複数の支持部が一体成型で成り、支持部の下嵌入溝は複数の支持板が嵌入され、且つ、ベース板の上嵌入溝には複数の補助板が嵌入され、複数の支持板と複数の補助板がそれぞれ複数のベース板と相互に交差した状態で嵌合されて位置決めされ、これにより優れた積載能力だけでなく、使用寿命が長く、使用時に重量が軽く運搬に便利であるという利点を得ることができる。        
【考案の効果】
【０００９】
上述の構造に基づき、本考案の高強度紙製パレットは実際の使用時において次のような利点を備えている：
（一）     
本考案のベース板３とその複数の支持部３２は一体成型方式で成るため、フォークリフトのフォーク等外力の衝撃により複数の支持部３２が脱落することがなく、効果的にパレットの使用寿命を延長することができる。
（二）     
本考案は高強度の積載能力を備え、紙製パレットが貨物の長時間の重圧を受けても破損や変形を起こさない。  
（三）     
本考案は複数の波形層構造を利用してダンボール板の積載能力を強化し、従来のダンボール紙の積載能力に優れないという欠点を解決した。
（四）     
本考案の紙製パレットは重量が軽く運搬に便利であり、且つ虫食いを防止でき、回収が容易である等の利点を備え、また環境汚染の問題もない。
（五）     
本考案の紙製パレットは温度が摂氏７０度から摂氏零下４０度の環境で使用することができ、適用範囲が広い。
【考案を実施するための最良の形態】
【００１０】
以下、本考案の紙製パレットの目的及び構造的技術特徴とその効果について、更なる理解を得るため、最良の実施例と図面に基づき詳細に説明する。
【実施例１】
【００１１】
図１及び図２に本考案の最良の実施例の構造を示す立体外観図と紙板の構造を示す断面図をそれぞれ示す。これらの図に示すように、本考案の高強度紙製パレットは、デッキボード１と複数の支持部２が設けられる。
【００１２】
そのうち、前記デッキボード１は、複数の矩形のベース板１１を組み立てて成り、これら複数のベース板１１には複数の嵌入溝１２が設けられ、かつ、これら複数のベース板１１は間隔をあけて排列されると共に、嵌入溝１２を利用して相互に交差した状態で嵌合されて位置決めされる。
【００１３】
前記複数の支持部２はデッキボード１の底部に設置され、且つ、これら複数の支持部２の間には複数の差込空間２０が設けられる。
【００１４】
デッキボード１の複数の矩形のベース板１１は、複数の波形層を備えたダンボール板から成り、この複数の波形層の構造によりダンボール板の積載能力を強化して、従来のダンボール紙の積載能力に優れないという欠点を解決する。
【００１５】
本考案の組み立てを行うとき、位置決め手段で支持部２をデッキボード１の底部に固定するが、この位置決め手段は粘着方式で指示部２をデッキボード１の底部に粘着して固定するか、嵌合方式でデッキボード１の底部に固定してもよく、かつ複数の支持部２の間には複数の差込空間２０を形成し、これで本考案の組み立ては完了する。本考案の使用時には、貨物をデッキボード１上に置き、フォークリフトのフォークを複数の支持部２間の差込空間２０に進入させれば、フォークリフトでデッキボード１上の貨物を運搬することができ、且つ、船舶や各種大型コンテナ輸送車両を利用して運輸を行うときは、高強度の積載能力を備えているため、デッキボード１が貨物の長時間の重圧にも耐えることができ、破損や変形を起こさない。
【実施例２】
【００１６】
図２、図３、図４に本考案の紙板の断面図、本考案の別の実施例の立体外観図及び立体分解図をそれぞれ示す。これらの図から分かるように、本考案の高強度紙製パレットには複数のベース板３、複数の支持板４、複数の補助板５が設置される。
【００１７】
そのうち、前記複数のベース板３は複数の波形層を有するダンボール板から成り、且つ、これら複数のベース板３は片側に複数の上嵌入溝３１が設けられ、他方の側に下嵌入溝３２１を備えた突出状を呈する複数の支持部３２が延伸して設けられ、且つこれら複数の支持部３２にフォークを進入させる差込空間３３が形成されると共に、前記複数のベース板３は間隔をあけて排列される。
【００１８】
前記複数の支持板４には複数の支持部３２の下嵌入溝３２１と嵌合させるための溝槽４１が設けられ、且つ、これら複数の支持板４は複数の波形層を有するダンボール板から成る。
【００１９】
前記複数の補助板に５は前記複数のベース板３の上嵌入溝３１と嵌合させるためのスリット５１が設けられ、且つ、これら複数の補助板５は複数の波形層を有するダンボール板から成る。
【００２０】
本考案の組み立てを行うときは、支持板４の溝槽４１を複数の支持部３２の下嵌入溝３２１に嵌入させ、これら複数の支持板４と複数のべース板３の支持部３２を相互に交差させた状態で位置決めし、さらに前記複数の補助板５のスリット５１を前記複数のベース板３の上嵌入溝３１に嵌入させ、これら複数の補助板５と複数のベース板３を相互に交差させた状態で位置決めして、組み立てが完了する。本考案の使用時には、貨物をパレット上に置き、フォークリフトのフォークを複数の支持部３２間の差込空間３３に進入させれば、フォークリフトでパレット上の貨物を運搬することができ、且つ、船舶や各種大型コンテナ輸送車両を利用して運輸を行うときは、高強度の積載能力を備えているため、パレットが貨物の長時間の重圧にも耐えることができ、破損や変形を起こさない。加えて、ベース板３とその複数の支持部３２が一体成型方式で成るため、フォークリフトのフォーク等外力の衝撃を受けても複数の支持部３２が脱落することはなく、効果的にパレットの使用寿命を延長することができる。
【００２１】
以上で述べた説明は本考案の最良の実施例に基づくものであり、本考案の特許範囲を制限するものではなく、本考案の明細書及び図面の内容を運用した簡易な修飾及び同等効果を持つ構造上の変化はすべて本考案の特許範囲内に含まれるものとみなす。
【００２２】
上述のように、本考案の高強度紙製パレットは、確実にその効果と目的を達することができ、実用性に優れた創作であり、実用新案登録出願の要件を満たしているため、法に基づきここに実用新案登録を出願するものであり、審査員各位には一日も早く本考案を批准していただき、考案者の創作努力を保障していただけるよう願うものである。疑問点がある場合ご連絡いただければ考案者は回答に尽力する所存である。
【図面の簡単な説明】
【００２３】
【図１】本考案の実施例１の構造を示す立体外観図である。
【図２】本考案の紙板の構造を示す断面図である。
【図３】本考案の実施例２の立体外観図である。
【図４】本考案の実施例２の立体分解図である。
【符号の説明】
【００２４】
１        デッキボード
１１      ベース板
１２      嵌入溝
２        支持部
２０      差込空間
３        ベース板
３１      上嵌入溝
３２      支持部
３２１    下嵌入溝
３３      差込空間
４        支持板
４１      溝槽
５        補助板
５１      スリット
【図１】
0003131345.tif 000003
【図２】
0003131345.tif 000004
【図３】
0003131345.tif 000005
【図４】
0003131345.tif 000006